(57)【要約】【課題】容易に取り扱うことができ、かつ簡単にコーヒーを入れることができる電子レンジ用包装容器を提供する。【解決手段】電子レンジ用包装容器１は、容器本体１０と、容器本体１０の段部１４に取り付けられた中蓋１５と、容器本体１０のフランジ１３に取り付けられた蓋材２０とを備える。蓋材２０は不織布からなる下シール材２１と、下シール材２１に剥離可能に設けられた上シール材２２とを有する。【選択図】図１
2019137416.tif 000002
【特許請求の範囲】
【請求項１】
上端開口を有する胴部と、前記胴部下方の底部と、前記胴部の上端開口に設けられたフランジとを有し、前記胴部に上方に向かって内径が拡大する段部が形成された容器本体と、
前記段部に取り付けられ、蒸通部を有するとともに、前記容器本体内を大径室と小径室とに区画する中蓋と、
前記フランジに取り付けられ、不織布からなる下シール材と、前記下シール材上に剥離可能に設けられた上シール材とを有する蓋材と、を備えた電子レンジ用包装容器。
【請求項２】
前記胴部はラベルと、前記ラベルの内面側に熱可塑性樹脂を射出して形成された射出樹脂層とを有する、請求項１記載の電子レンジ用包装容器。
【請求項３】
前記ラベルは前記胴部の前記大径室に対応する部分に配置されている、請求項２記載の電子レンジ用包装容器。
【請求項４】
前記底部、または前記小径室に対応する胴部のいずれかに、破断されて開口を形成する開口予定部が設けられている、請求項１乃至３のいずれか記載の電子レンジ用包装容器。
【請求項５】
前記フランジは、同一幅をもつフランジ本体と、このフランジ本体から外方へ突出する複数の突起とを有する、請求項１乃至４のいずれか記載の電子レンジ用包装容器。
【請求項６】
上端開口を有する胴部と、前記胴部下方の底部と、前記胴部の上端開口に設けられたフランジとを有し、前記胴部に上方に向かって内径が拡大する段部が形成された容器本体と、
前記段部に取り付けられ、蒸通部を有するとともに、前記容器本体内を大径室と小径室とに区画する中蓋と、
前記フランジに取り付けられ、不織布からなる下シール材と、前記下シール材上に剥離可能に設けられた上シール材とを有する蓋材と、を備えた電子レンジ用包装容器と、
前記大径室に収納されたコーヒー粉または茶葉と、
前記小径室に収納された水とを備えた、内容物入り電子レンジ用包装容器。
【発明の詳細な説明】
【技術分野】
【０００１】
本発明は、電子レンジ用包装容器および内容物入り電子レンジ用包装容器に係り、とりわけ電子レンジで水を加熱してカップ内にコーヒーを抽出することができる電子レンジ用包装容器および内容物入り電子レンジ用包装容器に関する。
【背景技術】
【０００２】
従来よりコーヒーを抽出する容器としてドリップパウチが知られている。このドリップパウチは周囲をシールしてなり、弱シール部により上下方向に区画された２室を有する。
【０００３】
そしてドリップパウチの上方室に水が収納され、下方室にコーヒー粉が収納されている。ドリップパウチはカップ上に載置され、電子レンジ内に置かれる。そして電子レンジにより加熱されてドリップパウチの上方室の水が熱水となり、熱水が下方室のコーヒー粉と混じり合ってコーヒーを作製し、このコーヒーがフィルターからカップ内に注がれる（特許文献１参照）。
【先行技術文献】
【特許文献】
【０００４】
【特許文献１】特開２０１１−２５９５１号公報
【発明の概要】
【発明が解決しようとする課題】
【０００５】
上記のようなドリップパウチは、カップ上に載置され、その後電子レンジ内に置かれるため、カップとドリップパウチの全高が高くなり、ドリップパウチを電子レンジ内に収納することは、難しい。
【０００６】
また、ドリップパウチは弱シール部により内部が上方室と下方室とに区画されるが、電子レンジによる加熱前に、例えばドリップパウチの搬送時あるいは取り扱い時に意図しないで弱シール部が破れて上方室と下方室が連通してしまうことがある。
【０００７】
本発明はこのような点を考慮したものであり、取り扱いが容易で、かつ電子レンジで温めるだけで簡単にコーヒーあるいはお茶を入れることができる電子レンジ用包装容器を提供することを目的とする。
【課題を解決するための手段】
【０００８】
本発明は、上端開口を有する胴部と、前記胴部下方の底部と、前記胴部の上端開口に設けられたフランジとを有し、前記胴部に上方に向かって内径が拡大する段部が形成された容器本体と、前記段部に取り付けられ、蒸通部を有するとともに、前記容器本体内を大径室と小径室とに区画する中蓋と、前記フランジに取り付けられ、不織布からなる下シール材と、前記下シール材上に剥離可能に設けられた上シール材とを有する蓋材と、を備えた電子レンジ用包装容器である。
【０００９】
本発明は、前記胴部はラベルと、前記ラベルの内面側に熱可塑性樹脂を射出して形成された射出樹脂層とを有する、電子レンジ用包装容器である。
【００１０】
本発明は、前記ラベルは前記胴部の前記大径室に対応する部分に配置されている、電子レンジ用包装容器である。
【００１１】
本発明は、前記底部、または前記小径室に対応する胴部のいずれかに、破断されて開口を形成する開口予定部が設けられている、電子レンジ用包装容器である。
【００１２】
本発明は、前記フランジは、同一幅をもつフランジ本体と、このフランジ本体から外方へ突出する複数の突起とを有する、電子レンジ用包装容器である。
【００１３】
本発明は、上端開口を有する胴部と、前記胴部下方の底部と、前記胴部の上端開口に設けられたフランジとを有し、前記胴部に上方に向かって内径が拡大する段部が形成された容器本体と、前記段部に取り付けられ、蒸通部を有するとともに、前記容器本体内を大径室と小径室とに区画する中蓋と、前記フランジに取り付けられ、不織布からなる下シール材と、前記下シール材上に剥離可能に設けられた上シール材とを有する蓋材と、を備えた電子レンジ用包装容器と、前記大径室に収納されたコーヒー粉または茶葉と、前記小径室に収納された水とを備えた、内容物入り電子レンジ用包装容器である。
【発明の効果】
【００１４】
以上のように本発明によれば、電子レンジで温めるだけで簡単にコーヒーあるいはお茶を入れることができる。
【図面の簡単な説明】
【００１５】
【図１】電子レンジ用包装容器を示す斜視図。
【図２】電子レンジ用包装容器の中蓋を示す平面図。
【図３】電子レンジ用包装容器の底面図。
【図４Ａ】内容物を充填する作用を示す図。
【図４Ｂ】内容物を充填する作用を示す図。
【図４Ｃ】内容物を充填する作用を示す図。
【図４Ｄ】内容物を充填する作用を示す図。
【図４Ｅ】内容物を充填する作用を示す図。
【図５Ａ】電子レンジ用包装容器の使用方法を示す図。
【図５Ｂ】電子レンジ用包装容器の使用方法を示す図。
【図５Ｃ】電子レンジ用包装容器の使用方法を示す図。
【図６】電子レンジ用包装容器の胴部を示す拡大図。
【発明を実施するための形態】
【００１６】
以下、図面を参照して本発明の実施の形態について説明する。  
ここで図１乃至図６は、本発明の実施の形態を示す図である。
【００１７】
はじめに図１乃至図３により電子レンジ用包装容器１の概略を述べる。図１乃至図３に示すように、電子レンジ用包装容器１は上端開口１１ａを有する円筒状の胴部１１と、胴部１１の下方に設けられた底部１２と、胴部１１の上端開口１１ａ周縁に設けられた円形状のフランジ１３とを有する略円筒体からなる容器本体１０と、フランジ１３に取り付けられた略円形状の蓋材２０とを備えている。
【００１８】
このうち、容器本体１０の胴部１１には、上方へ向かって内径が拡大する段部１４が形成されており、この段部１４に中蓋１５が取り付けられている。
【００１９】
胴部１１の段部１４に取り付けられた中蓋１５は、容器本体１０内を上方の大径室１１Ａと下方の小径室１１Ｂとに区画する。この場合、容器本体１０内はその内径が段部を介して上方に向かって拡大しており、このため上方の大径室１１Ａの内径は下方の小径室１１Ｂの内径より大きい。
【００２０】
また段部１４の上面には、図２に示すように、中蓋１５がシール部１６により取り付けられており、このシール部１６はＶ字状に形成された２個の蒸通部１６ａ，１６ａを有している。この蒸通部１６ａ，１６ａは、後述のように小径室１１Ｂ内に収納された水が電子レンジ内で加熱され熱水となった際、この熱水から生じる蒸気により開封して、小径室１１Ｂと大径室１１Ａとを連通するものである。
【００２１】
ところで、本明細書において、「上方」あるいは「下方」とは、本発明による電子レンジ用包装容器１を図１に示すように、容器本体１０の底部１２が下方を向くよう配置した場合における「上方」あるいは「下方」を意味する。
【００２２】
また容器本体１０のフランジ１３に取り付けられた蓋材２０は不織布からなる下シール材２１と、下シール材２１に積層された上シール材２２とを有する。容器本体１０のフランジ１３は同一幅をもつフランジ本体１３ａと、このフランジ本体１３ａから外方へ突出するとともに半径方向に対向して設けられた一対の突起１３ｂ，１３ｂとを有する。
【００２３】
また上シール材２２も、容器本体１０の上端開口１１ａに対応する上シール材本体２２ａと、上シール材本体２２ａから外方へ突出する突起２２ｂとを有する。
【００２４】
なお、下シール材２１は、特に突起をもつことなく、円形形状をもつ。
【００２５】
さらにまた容器本体１０の底部１２周縁には、下方へ突出する周縁リブ１９が設けられ、電子レンジ用包装容器１を電子レンジ内に載置した際、この周縁リブ１９により底部１２が電子レンジの載置台からわずか上方へ浮くことになる。
【００２６】
また図３に示すように、底部１２の裏面には、下方へ突出する摘み部１７ａが設けられ、この摘み部１７ａは薄肉線（開口予定部）１７ｂにより囲まれている。使用者がこの摘み部１７ａを引っ張ると、薄肉線１７ｂが破断され、この薄肉線１７ｂにより通気口を形成することができる。
【００２７】
なお、底部１２からの摘み部１７ａの突出高さは、周縁リブ１９の高さより小さくなっており、電子レンジ用包装容器１を電子レンジ内に載置した際、摘み部１７ａが電子レンジの載置台に干渉しないようになっている。
【００２８】
なお、摘み部１７ａと、この摘み部１７ａを囲む薄肉線１７ｂを底部１２に設けることなく、胴部１１のうち小径室１１Ｂに対応する部分に設けてもよい。
【００２９】
次に電子レンジ用包装容器１を構成する各構成部材の材料について述べる。  
まず容器本体１０の胴部１１、底部１２およびフランジ１３はポリプロピレン（ＰＰ）を射出してなる射出樹脂層６から構成される。また容器本体１０の胴部１１のうち大径室１１Ａに対応する部分は、外面側に位置するインモールドラベル５と、このインモールドラベル５の内面側に射出されたポリプロピレンからなる射出樹脂層６とを有する。
【００３０】
この場合、インモールドラベル５としては、外面から内面へ順に設けられた延伸ポリプロピレン層（ＯＰＰ）（３０μ）／印刷層／接着層／透明蒸着ポリエチレンテレフタレート層（透明蒸着ＰＥＴ）（１２μ）／接着層／ヒートシール延伸ポリプロピレン層（ＨＳＯＰＰ）（３０μ）の積層体を用いることができる。
【００３１】
このように胴部１１のうち大径室１１Ａに対応する部分がインモールドラベル５と、インモールドラベル５の内面側に射出された射出樹脂層６とを有するため、後述のように大径室１１Ａ内に収納されるコーヒー粉の風味が外方へ逃げること及びコーヒー粉が外部からの酸素の侵入により酸化することを、このインモールドラベル５により効果的に防ぐことができる。
【００３２】
また、電子レンジ用包装容器１を電子レンジ内で加熱した場合、胴部１１のうち大径室１１Ａに対応する部分が断熱機能をもつことになるため、この部分を容易かつ安全に把持することができる。
【００３３】
なお、インモールドラベル５の印刷層は延伸ポリプロピレン層にグラビア印刷を施すことにより得られる。
【００３４】
またインモールドラベル５の透明蒸着ポリエチレンテレフタレート層は、ポリエチレンテレフタレート上にアルミナまたはシリカを蒸着することにより得られる。
【００３５】
また中蓋１５としては、上方から順に配置された以下のような層構成をもつ積層体を用いることができる。
【００３６】
透明蒸着ポリエチレンテレフタレート層（透明蒸着ＰＥＴ）（１２μ）／接着層／キャストポリプロピレン層（ＣＰＰ）（４０μ）
さらに下シール材２１の不織布は、主たる材料としてポリプロピレンからなり多孔を含むとともに、コーヒー粉のフィルタとして機能する。
【００３７】
また上シール材２２としては、上方から順に配置された以下のような層構成をもつ積層体を用いることができる。
【００３８】
透明蒸着ポリエチレンテレフタレート層（透明蒸着ＰＥＴ）（１２μ）／印刷層／接着層／延伸ナイロン（ＯＮＹ）（１５μ）／接着層／イージーピール層（３０μ）
上シール材２２の印刷層は、透明蒸着ポリエチレンテレフタレート層上にグラビア印刷を施すことにより得られる。
【００３９】
また上シール材２２のイージーピール層は、カストポリプロピレン（ＣＰＰ）とポリエチレン（ＰＥ）とを混合して得られ、ヒートシール強度を抑えた層である。
【００４０】
次にこのような構成からなる本実施の形態の作用について説明する。  
はじめに図４Ａ乃至図４Ｅにより電子レンジ用包装容器１の充填方法について述べる。
【００４１】
まず図４Ａに示すように、上端開口１１ａを有する胴部１１と、胴部１１下方の底部１２と、胴部１１の上端開口１１ａに設けられたフランジ１３とを有し、胴部１１に上方に向かって内径が拡大する段部１４が形成された容器本体１０を準備する。
【００４２】
次に容器本体１０内に水を注ぎ、容器本体１０の小径室１１Ｂ内に水を充填する（図４Ｂ参照）。次に容器本体１０の段部１４上に中蓋１５がシール部１６によりヒートシールされて取り付けられる。このシール部１６はＶ字状に形成された２個の蒸通部１６ａ，１６ａを含む（図２参照）。
【００４３】
このような水の充填および中蓋１５のヒートシールは、Ｎ２置換雰囲気中で行われる。
【００４４】
次に図４Ｃに示すように、中蓋１５にコーヒー粉３が投入され、その後、フランジ１３のフランジ本体１３ａに不織布からなる下シール材２１がヒートシールされて取り付けられる（図４Ｄ参照）。
【００４５】
このコーヒー粉の投入および下シール材２１のヒートシールもＮ２置換雰囲気中で行われる。
【００４６】
次に図４Ｅに示すように、下シール材２１上に上シール材２２がヒートシールにより取り付けられる。この場合、上シール材２２は下シール材２１のうち、フランジ１３に対応する部分にヒートシールされる。
【００４７】
このように下シール材２１上に上シール材２２をヒートシールにより取り付けることにより、内容物入り電子レンジ用包装容器１Ａが得られる。この場合、下シール材２１と上シール材２２とから蓋材２０が構成される。また蓋材２０の上シール材２２は上シール材本体２２ａと、上シール材本体２２ａから外方へ突出する突起２２ｂとを有する。
【００４８】
このようにして得られた内容物入り電子レンジ用包装容器１Ａは、電子レンジ用包装容器１と、容器本体１０の大径室１１Ａ内に収納されたコーヒー粉３と、容器本体１０の小径室１１Ｂ内に収納された水２とを備える。
【００４９】
なお、容器本体１０のフランジ１３上に下シール材２１をヒートシールし、その後に下シール材２１上に上シール材２２をヒートシールして蓋材２０を構成する例を示したが、これに限らず、予め下シール材２１と上シール材２２とを接合して蓋材２０を作製しておき、このように予め接合された下シール材２１と上シール材２２とからなる蓋材２０を一体として容器本体１０のフランジ１３上に接合してもよい。
【００５０】
次に電子レンジ用包装容器１の使用方法について、図５Ａ乃至図５Ｃにより説明する。
【００５１】
まず図５Ａに示すように、上述のようにして作製された内容物入り電子レンジ用包装容器１Ａを準備する。
【００５２】
このとき、内容物入り電子レンジ用包装容器１Ａの上シール材２２のうち上シール材本体２２ａはフランジ１３のフランジ本体１３ａ上において下シール材２１にヒートシールされているが、上シール材２２の突起２２ｂはフランジ１３の突起１３ｂにヒートシールされることなく、突起１３ｂから浮いている。
【００５３】
使用者はフランジ１３の突起１３ｂから浮いている上シール材２２の突起２２ｂを摘み、突起２２ｂから上シール材２２を下シール材２１から引き剥がす。このとき、上シール材２２の下シール材２１側の層は、イージーピール層となっているため、上シール材２２を下シール材２１から容易に引き剥がすことができる。
【００５４】
下シール材２１から上シール材２２を完全に引き剥がした後、内容物入り電子レンジ用包装容器１Ａを電子レンジ内に載置し、内容物入り電子レンジ用包装容器１Ａを全体として電子レンジ内で加熱する（図５Ｂ参照）。
【００５５】
このとき容器本体１０の小径室１１Ｂ内に収納された水が加熱されて熱水となり、小径室１１Ｂ内の熱水は一部蒸気となり、小径室１１Ｂ内の圧力が上昇する。
【００５６】
次に小径室１１Ｂ内で発生した蒸気の圧力によって、中蓋１５の蒸通部１６ａ，１６ａからシール部１６が開封され、小径室１１Ｂと大径室１１Ａとが連通される。
【００５７】
次に図５Ｃに示すように、内容物入り電子レンジ用包装容器１Ａが電子レンジから取り出され、内容物入り電子レンジ用包装容器１Ａが引っ繰り返されてカップ３０上に載置される。このとき、容器本体１０の胴部１１のうちインモールドラベル５が設けられた大径室１１Ａに対応する断熱性をもった部分を把持することにより、安全に内容物入り電子レンジ用包装容器１Ａを把持することができる。
【００５８】
この場合、内容物入り電子レンジ用包装容器１Ａは、そのフランジ１３をカップ３０の上端周縁３１に当接させて、カップ３０上に載置される。
【００５９】
この時、内容物入り電子レンジ用包装容器１Ａの突起１３ｂがカップ３０の上端周縁３１外方へ突出し、フランジ１３をカップ３０の上端周縁３１上に安定して載置することができる。
【００６０】
次に内容物入り電子レンジ用包装容器１Ａの底部１２に設けられた摘み部１７ａが外方へ引っ張られ、摘み部１７ａを囲む薄肉線１７ｂが破断されて通気口が形成される。
【００６１】
このとき小径室１１Ｂと大径室１１Ａとは、中蓋１５のシール部１６が開封されることにより連通されているため、小径室１１Ｂ内の熱水が大径室１１Ａ内に入る。次に大径室１１Ａ内において熱水２がコーヒー粉３に接触してコーヒーが抽出される。このようにして抽出されたコーヒーは不織布からなる下シール材２１を通って、カップ３０内に注がれる。
【００６２】
この場合、容器本体１０の底部１２に、薄肉線１７ｂが破断して予め通気口が形成されているので、容器本体１０の大径室１１Ａ内で抽出されたコーヒーを容易かつ迅速にカップ３０内に排出することができる。
【００６３】
以上のように、本実施の形態によれば、電子レンジ用包装容器を容易かつ簡単に取り扱って包装容器を電子レンジで加熱するだけで、容易にコーヒーを抽出してカップに注ぐことができる。
【００６４】
なお、上記実施の形態において、容器本体１０の大径室１１Ａ内にコーヒー粉３を収納した例を示したが、これに限らずコーヒー粉３の代わりに大径室１１Ａ内に茶葉を収納してもよい。
【００６５】
また容器本体１０の胴部１１のうち大径室１１Ａに対応する部分にインモールドラベル５を配置した例を示したが、これに限らず胴部１１の全域にインモールドラベル５を配置してもよい。
【００６６】
さらに胴部１１にインモールドラベル５を設けることなく、胴部１１の外面前周に容器本体１０と別体に設けられた紙製円筒体を巻き付けてもよい。
【符号の説明】
【００６７】
１  電子レンジ用包装容器
１Ａ  内容物入り電子レンジ用包装容器
２  水
３  コーヒー粉
５  インモールドラベル
６  射出樹脂層
１０  容器本体
１１  胴部
１１ａ  上端開口
１１Ａ  大径室
１１Ｂ  小径室
１２  底部
１３  フランジ
１３ａ  フランジ本体
１３ｂ  突起
１４  段部
１５  中蓋
１６  シール部
１６ａ  蒸通部
１７ａ  摘み部
１７ｂ  薄肉線
１９  周縁リブ
２０  蓋材
２１  下シール材
２２  上シール材
３０  カップ
【図１】
2019137416.tif 000003
【図２】
2019137416.tif 000004
【図３】
2019137416.tif 000005
【図４Ａ】
2019137416.tif 000006
【図４Ｂ】
2019137416.tif 000007
【図４Ｃ】
2019137416.tif 000008
【図４Ｄ】
2019137416.tif 000009
【図４Ｅ】
2019137416.tif 000010
【図５Ａ】
2019137416.tif 000011
【図５Ｂ】
2019137416.tif 000012
【図５Ｃ】
2019137416.tif 000013
【図６】
2019137416.tif 000014